(57)【要約】【課題】  従来の解放型貯湯槽では、温水を取り入れるためには、低温水層、中温水層、高温水層の三層分離状態の中温水層の上部付近まで湯供給管の取水口を立ち上げて固設していた。補給された湯が貯湯槽内の予備的湯と交じり合って利用有効水量が増える構造とはなっていない。利用有効水量が少ない場合に多量の湯を使用すると、大量に補給された水により温水が上方に押し上げられ、加熱能力が間に合わずに蛇口から低温水（冷水）が出るという問題もあった。【解決手段】  解放型貯湯槽において、貯湯槽内に固設した湯供給管の上端口に、内側に窄めた狭窄部を設け、かつ、浮游取水管を、取水管口の上部に浮力体を、複数本のステーをもって立設すると共に、前記、浮游取水管の下端を、前記、狭窄部に游嵌させる。【選択図】図３
2008157602.tif 000002
【特許請求の範囲】
【請求項１】
解放型貯湯槽において、貯湯槽内に固設した湯供給管（１）の上端口（２）に、内側に窄めた狭窄部（３）を設け、更に、浮游取水管（４）を、取水管口（５）の上部に浮力体（６）を、複数本のステー（７）、（７）をもって立設すると共に、前記、浮游取水管（４）の下端を、前記、狭窄部（３）に游嵌させたことを特徴とする解放型貯湯槽の高温水取水装置。
【発明の詳細な説明】
【技術分野】
【０００１】  本発明は、伸縮構造の浮游取水管を採用することにより、有効水域を大幅に増大させ、省エネ効果を発揮する解放型貯湯槽の高温水取水装置に関する。
【背景技術】
【０００２】  給湯に用いられる貯湯槽は、密閉型と解放型の２種類に大別される。従来の解放型貯湯槽では、温水を取り入れるためには、低温水層、中温水層、高温水層の三層分離状態の中温水層の上部付近まで湯供給管の取水口を立ち上げて固設していた。そもそも貯湯槽は我が国では２０世紀の初め頃から一般社会で使用されているが、その構造は昔も今も何ら変わることなく、百年一日の如く進歩が見られないのが現状である。貯湯槽は一般社会において日常的に広く使用されているものであり、エネルギーの効率的利用が最も嘱望される技術分野である。地球温暖化現象の抑制が声高に叫ばれる今日にあって、熱効率が悪い構造の貯湯槽を旧態依然としたまま使用し続けることは問題があり過ぎるといわなければならない。このように湯供給管の取水口を固設することによって、取水口より下方の湯は使用されないので、いわゆる「死に水」となる。貯湯槽内の湯の総量で比較するならば、およそ全体の１／３程度が有効水域で、残りおよそ２／３程度が予備的領城（別称・死に水）である。従って、給湯するのに十分な必要量を確保するには、貯湯槽を大型のものにするより方法がなく、エネルギーのロスともなる。貯湯槽内の湯が大量に使用供給されると、水位が取水口の上部の最低位置まで下がり、補給水弁が全開状態になる。このような状態になると、補給水によって低温水が押し上げられ、低温水の湯が供給されることになる。
【発明の開示】
【発明が解決しようとする課題】
【０００３】  従来の解放型貯湯槽は、背景技術で述べたように、取水口が固定されているために、取水可能な利用有効水域は、最上水位面から固定した湯供給管の取水口の位置の高さの水位までという極めて狭く限定された湯量しか利用できないものであった。元来、三層分離構造を活用する貯湯槽では、大量の利用有効水量の使用により、補給水弁が開き水の補給がなされるが、加熱循環された湯が貯湯槽内の予備的水と交じり合って利用有効水量が増える構造とはなっていない。従って、この利用有効水量を確保するには、貯湯槽を大型のものにするしかないという省エネとは逆方向を向く矛盾を抱えていた。また、取水口は高温水の湯を取水するように固定されているので、貯湯槽内の中部水層、下部水層は何らの対流を起こすこともなく、撹拌も行われないので死に水状態になり、不純物等が堆積し不衛生的になるという問題もあった。更に、利用有効水量が少ない場合に多量の湯を使用すると、大量に補給された水により温水が上方に押し上げられ、加熱能力が間に合わずに蛇口から低温水（冷水）が出るという問題もあった。また、従来の貯湯槽は、長時間かけて貯湯する必要があり、時間的にもロスが多いものとなっていた。このように供給量のバランスが崩れると湯の供給が間に合わず困っていたユーザーが多数に及んでいた。【０００４】  本発明は従来の貯湯槽に関するこのような諸問題の解決を期するために開発したものであり、既存の貯湯槽内に浮力体を取り付けた浮遊取水管を湯供給管に游嵌するだけで効果を発揮する画期的なものである。また、本発明の出願に当たり類似する先行技術があるか否かについて調査してみたが、本発明と同様なものは見当たらなかった。
【課題を解決するための手段】
【０００５】  上記目的を達成するために、本発明における解放型貯湯槽の高温水取水装置は、次のような構成としている。
【請求項１】
解放型貯湯槽において、貯湯槽内に固設した湯供給管１の上端口２に、内側に窄めた狭窄部３を設け、更に、浮游取水管４を、取水管口５の上部に耐熱性の浮力体６を、複数本のステー７、７をもって立設すると共に、前記、浮游取水管４の下端を、前記、狭窄部３に游嵌させる。
【発明の効果】
【０００６】  本発明は上記のとおり構成されているので、次に記載する効果を奏する。
１．給湯するのに、貯湯槽内の全体水量の約１／２程度の温水が利用できる。
２．補給水が補給されても、その時点での一番高温な上部の最高温度の温水を給湯することができる。
３．本装置は自然法則を利用したもので、新たな動力を必要とせず、簡単構造で製造コストも廉価である。
４．既存の貯湯槽にも設置対応ができる。
５．有効温水が増えることから、貯湯槽を小さなものすることができる。
６．効率よく温水が利用されるので、エネルギーのロスを少なくすることができる。
７．死に水が減るので、その分不純物等が堆積し不衛生的になっていた水も減る。
８．浮力体６と取水管口５との間がステー７、７で立設されているので、取水管口５からは常に水面に近い高温な上部の温水を取水でき、補給水が直接取水管口５から供給されることはない。
【発明を実施するための最良の形態】
【０００７】  本発明の発明を実施するための最良の形態について、図面を参照に説明する。
図１、２は、従来型貯湯槽の使用説明図で、図１は、満水時使用説明図である。図２は、最低水位時使用説明図である。図１に示すように、従来型貯湯槽では、湯供給管の上端の取水口を、中温水層の上部付近まで立ち上げて固設してある。従って、有効水域は満水位の水面から中温水層の上部付近までということになり、全体量のおよそ１／３程度である。図２に示すように、最低水位が湯供給管の上端の取水口付近まで下がると、取水口以下の温水は供給されない。取水口以下の湯は予備的水、いわゆる死に水なのである。従来の貯湯槽ではこの死に水がおよそ全体量の２／３程度になる。従来型貯湯槽ではこのように取水口が固設してあるので、常時必要な高温水を取りこめず、供給される温水の温度は水位によって左右され、大量使用時には湯量不足を起こす。また、従来の貯湯槽は、このように有効水域が限定されるため、供給水量を十分に確保するには、貯湯槽の大きさを大きなものにするより方法がなかった。【０００８】  図３、４は、本発明になる解放型貯湯槽の高温水取水装置の使用説明図である。
図３は、満水時使用説明図である。、図４は、最低水位時使用説明図である。
図３に示すように本実施例では、湯供給管１の上端の上端口２に内側に窄めた狭窄部３を設けている。また、浮游取水管４は、上端の取水管口５の上部に耐熱性の浮力体６を、複数本のステー７、７をもって立設している。更に、浮游取水管４の下端を、湯供給管１の上端口２に設けた狭窄部３に游嵌させている。従って、満水時では浮力体６が満水位の水面に浮く。浮力体６と取水管口５との間はステー７、７の長さの間隔で繋がっているので、取水管口５は常に高温水層の上部付近の位置にあって、常に高温水層の湯を取水できる。【０００９】  本実施例では、図４の最低水位時の使用説明図に示すように、湯供給管１の上端の上端口２に内側に窄めた狭窄部３を設け、この狭窄部３に浮遊取水管４の下端を遊嵌させているところに、本発明の特徴がある。つまり、浮遊取水管４の管の外面は、湯供給管１の狭窄部３の一点のみで接触している。従って、浮遊取水管４は、その管の外面が湯供給管１の管の内面に引っ掛かることなく、伸縮自在な上下動が可能になる。浮力体６と取水管口５は、水位が下がるにつれて浮遊取水管４の自重によりスムーズに下がり、浮遊取水管４は湯供給管１の中に入り込むことになる。最終的には浮遊取水管４の下端が湯供給管１下端まで下がって止まることになる。【００１０】  本実施例ではこの段階で、従来型貯湯槽では取水が不可能であった領域の湯を取水供給することができる。本実施例では以上のように、浮力体６を立設した浮遊取水管４を用いることによって、有効水域の増大が図られ、（全体水量のおよそ１／２程度が有効水域となる）エネルギーロスも少なくすることができる。本実施例では常時浮力体６が水面に浮いている状態であり、温水使用時には浮力体６の下方の一番温度の高い温水を取り込むことができる。更には、取水管口５が常に水面より少し下方に位置し、そこで取水するので湯を大量に同時使用した場合でも、大量に補給された水により温水が上方に押し上げられ、加熱能力が間に合わずに蛇口から低温水（冷水）が出るという問題は生じることがない。また、有効水域が増大するので、貯湯槽そのものも小さなものにすることも可能になるという省エネ効果に貢献する。また、本発明は自然法則を利用しているだけで新たな動力は一切使用せず、ランニングコストもかからない。
【産業上の利用可能性】
【００１１】  本発明は、浮力体６を設けた浮遊取水管４を貯湯槽の中に浮かすだけで、給湯湯量を全湯量の約１／３から１／２程度に増やすことができる画期的な発明である。全貯湯槽に本装置を採用すると、省エネへの貢献度は図りしれない。強いて強調するならば、地球温暖化現象をストップさせるのに少なからずその役割を果たせるものと思う。このような発明を奨励・普及させることは、時代の要請に応えるものである。地球温暖化現象に歯止めをかける発明になることも確かである。
【図面の簡単な説明】
【００１２】
【図１】従来型貯湯槽の満水時使用説明図である。
【図２】従来型貯湯槽の最低水位時使用説明図である。
【図３】本発明になる貯湯槽の満水時使用説明図である。
【図４】本発明になる貯湯槽の最低水位時使用説明図である。
【符号の説明】
【００１３】（１）    は    湯供給管
（２）    は    上端口
（３）    は    狭窄部
（４）    は    浮游取水管
（５）    は    取水管口
（６）    は    浮力体
（７）    は    ステー
【図１】
2008157602.tif 000003
【図２】
2008157602.tif 000004
【図３】
2008157602.tif 000005
【図４】
2008157602.tif 000006